(57)【要約】      （修正有）【課題】制御の便利性の向上に寄与する、ファーフィールド音声制御デバイス及びファーフィールド音声制御システムを提供する。【解決手段】ファーフィールド音声制御デバイスは、ファーフィールド集音装置と音声解析装置を備える。ファーフィールド集音装置は、ユーザから送信された音声情報を受信し、音声情報を音声解析装置へ送信し、音声解析装置は音声情報を解析し、音声情報に所定のウェークアップワードが含まれているか否かを確定し、所定のウェークアップワードが含まれている場合に、音声情報をファーフィールド音声制御デバイスと通信可能に接続されたクラウドサーバへ送信する。つまり、遠距離のユーザは、音声でファーフィールド集音機能をサポートするファーフィールド音声制御デバイスとインタラクションして相応する制御機能を実現することができる。【選択図】図１
2019159306.tif 000002
【特許請求の範囲】
【請求項１】
ファーフィールド集音装置と音声解析装置とを備えるファーフィールド音声制御デバイスであって、
前記ファーフィールド集音装置は、ユーザから送信された音声情報を受信し、前記音声情報を音声解析装置へ送信し、
前記音声解析装置は、前記音声情報を解析し、前記音声情報に所定のウェークアップワードが含まれているか否かを確定し、前記所定のウェークアップワードが含まれている場合に、前記音声情報を前記ファーフィールド音声制御デバイスと通信可能に接続されたクラウドサーバへ送信する、
ファーフィールド音声制御デバイス。
【請求項２】
前記ファーフィールド音声制御デバイスは、ファーフィールド再生装置を更に備え、
前記ファーフィールド再生装置は、前記クラウドサーバから受信された音声再生情報を再生する、請求項１に記載のファーフィールド音声制御デバイス。
【請求項３】
前記ファーフィールド再生装置は、前記音声再生情報のパワーを増幅するパワーアンプを備える、請求項２に記載のファーフィールド音声制御デバイス。
【請求項４】
前記ファーフィールド集音装置がユーザから送信された音声情報を受信した後に、前記ファーフィールド集音装置は更に前記音声情報に対してノイズ除去処理を行う、請求項１に記載のファーフィールド音声制御デバイス。
【請求項５】
前記ファーフィールド音声制御デバイスは、更に、ネットワーキング装置として無線ローカルエリアネットワーキング装置、ブルートゥースネットワーキング装置、赤外線ネットワーキング装置のうちの少なくとも一つを備え、前記ファーフィールド音声制御デバイスは、前記少なくとも一つのネットワーキング装置により、前記クラウドサーバ及び少なくとも一つのスマートデバイスと通信可能な接続を構築する、請求項１に記載のファーフィールド音声制御デバイス。
【請求項６】
前記ファーフィールド音声制御デバイスは配線箱内に実装され、前記配線箱のパネルは、タッチボタン及び／又はインジケータライトが設置されているタッチパネルである、請求項１〜５の何れか一つに記載のファーフィールド音声制御デバイス。
【請求項７】
ファーフィールド音声制御システムであって、
クラウドサーバと、請求項１〜５の何れか一つに記載のファーフィールド音声制御デバイスとを備え、前記クラウドサーバと前記ファーフィールド音声制御デバイスとが通信可能に接続されるファーフィールド音声制御システム。
【請求項８】
前記クラウドサーバは、前記ファーフィールド音声制御デバイスから送信された音声情報を受信し、前記音声情報に対して解析処理を行って前記音声情報に対応する制御情報を確定し、前記制御情報が含まれている制御命令を前記ファーフィールド音声制御デバイスへ送信する、請求項７に記載のファーフィールド音声制御システム。
【請求項９】
前記制御情報に音声再生情報が含まれている場合に、前記ファーフィールド音声制御デバイスにおけるファーフィールド再生装置は、前記音声再生情報を再生する、請求項８に記載のファーフィールド音声制御システム。
【請求項１０】
前記ファーフィールド音声制御システムに、少なくとも一つのスマートデバイスが更に備えられ、
前記制御情報に非音声再生情報が含まれている場合に、前記ファーフィールド音声制御デバイスは、前記少なくとも一つのスマートデバイスから、前記非音声再生情報に対応する操作を実行するスマートデバイスを目標スマートデバイスとして確定し、前記目標スマートデバイスが前記非音声再生情報に対応する操作を実行するように、前記非音声再生情報を前記目標スマートデバイスへ送信する、請求項８又は９に記載のファーフィールド音声制御システム。
【請求項１１】
前記ファーフィールド音声制御デバイスは、ユーザから送信された音声情報を受信し、前記音声情報を解析して、前記音声情報に所定のウェークアップワードが含まれているか否かを確定し、前記所定のウェークアップワードが含まれている場合に、前記音声情報を前記クラウドサーバへ送信し、
前記クラウドサーバは、前記音声情報に対して解析処理を行って前記音声情報に対応する制御情報を確定し、前記制御情報が含まれている制御命令を前記ファーフィールド音声制御デバイスへ送信し、
前記制御情報に音声再生情報が含まれている場合に、前記ファーフィールド音声制御デバイスのファーフィールド再生装置は、前記音声再生情報を再生し、
前記制御情報に非音声再生情報が含まれている場合に、前記ファーフィールド音声制御デバイスは、前記少なくとも一つのスマートデバイスから、前記非音声再生情報に対応する操作を実行するスマートデバイスを目標スマートデバイスとして確定し、前記目標スマートデバイスが前記非音声再生情報に対応する操作を実行するように、前記非音声再生情報を前記目標スマートデバイスへ送信する、請求項１０に記載のファーフィールド音声制御システム。
【請求項１２】
コンピュータプログラムであって、
請求項１〜６のいずれか一項に記載のデバイス又は請求項７〜１１いずれか一項に記載のシステムによって実行されることができるコンピュータプログラム。
【発明の詳細な説明】
【技術分野】
【０００１】
本願の実施形態は、コンピュータ技術分野に関し、具体的にファーフィールド音声制御デバイス及びファーフィールド音声制御システムに関する。
【背景技術】
【０００２】
コンピュータ技術の普及に従い、現在に人間の生活は既に知能の時代に入ってきた。パソコン、携帯電話、バーチャルリアリティ（ｖｉｒｔｕａｌ  ｒｅａｌｉｔｙ、ＶＲ）メガネのような電子製品だけではなく、人間の衣食住の各方面において既にスマートテレビ、スマートナビゲーション、スマートホームなどのような知能技術が応用し始まっいる。知能技術は、人間生活の各方面に便利なサービスを提供する。ここで、スマート音声によるインタラクション技術は、現在に良く使われる知能技術である。
【０００３】
スマート音声によるインタラクションは、一般的に、音声入力による新しい世代の会話モードであり、即ち会話によってフィードバック結果を得られる。このような対話手段は、人間にとって最も自然で簡単な対話手段であり、両手を効率的に解放し、且つ最大の程度で操作の難易度を低減させることができる。
【発明の開示】
【発明が解決しようとする課題】
【０００４】
本願の実施形態は、ファーフィールド音声制御デバイス及びファーフィールド音声制御システムを提出する。
【課題を解決するための手段】
【０００５】
第一の側面として、本願の実施形態は、ファーフィールド集音装置と音声解析装置とを備えるファーフィールド音声制御デバイスであって、ファーフィールド集音装置は、ユーザから送信された音声情報を受信し、音声情報を音声解析装置へ送信し、音声解析装置は、音声情報を解析し、音声情報に所定のウェークアップワードが含まれているか否かを確定し、所定のウェークアップワードが含まれている場合に、音声情報をファーフィールド音声制御デバイスと通信可能に接続されたクラウドサーバへ送信するファーフィールド音声制御デバイスを提供する。
【０００６】
一部の実施形態において、ファーフィールド音声制御デバイスは、ファーフィールド再生装置を更に備え、ファーフィールド再生装置は、クラウドサーバから受信された音声再生情報を再生する。
【０００７】
一部の実施形態において、ファーフィールド再生装置は、音声再生情報のパワーを増幅するパワーアンプを備える。
【０００８】
一部の実施形態において、ファーフィールド集音装置がユーザから送信された音声情報を受信した後に、ファーフィールド集音装置は更に音声情報に対してノイズ除去処理を行う。
【０００９】
一部の実施形態において、ファーフィールド音声制御デバイスは、更に、ネットワーキング装置として無線ローカルエリアネットワーキング装置、ブルートゥースネットワーキング装置、赤外線ネットワーキング装置のうちの少なくとも一つを備え、ファーフィールド音声制御デバイスは、少なくとも一つのネットワーキング装置により、クラウドサーバ及び少なくとも一つのスマートデバイスと通信可能な接続を構築する。
【００１０】
一部の実施形態において、ファーフィールド音声制御デバイスは配線箱内に実装され、配線箱のパネルは、タッチボタン及び／又はインジケータライトが設置されているタッチパネルである。
【００１１】
第二の側面として、本願の実施形態は、ファーフィールド音声制御システムであって、クラウドサーバと、第一の側面の何れか一つの実施形態に記載のファーフィールド音声制御デバイスとを備え、クラウドサーバとファーフィールド音声制御デバイスとが通信可能に接続されるファーフィールド音声制御システムを提供する。
【００１２】
一部の実施形態において、クラウドサーバは、ファーフィールド音声制御デバイスから送信された音声情報を受信し、音声情報に対して解析処理を行って音声情報に対応する制御情報を確定し、制御情報が含まれている制御命令をファーフィールド音声制御デバイスへ送信する。
【００１３】
一部の実施形態において、制御情報に音声再生情報が含まれている場合に、ファーフィールド音声制御デバイスにおけるファーフィールド再生装置は、音声再生情報を再生する。
【００１４】
一部の実施形態において、ファーフィールド音声制御システムに少なくとも一つのスマートデバイスが更に備えられ、制御情報に非音声再生情報が含まれている場合に、ファーフィールド音声制御デバイスは、少なくとも一つのスマートデバイスから、非音声再生情報に対応する操作を実行するスマートデバイスを目標スマートデバイスとして確定し、目標スマートデバイスが非音声再生情報に対応する操作を実行するように、非音声再生情報を目標スマートデバイスへ送信する。
【００１５】
一部の実施形態において、ファーフィールド音声制御デバイスは、ユーザから送信された音声情報を受信し、音声情報を解析して、音声情報に所定のウェークアップワードが含まれているか否かを確定し、所定のウェークアップワードが含まれている場合に、音声情報をクラウドサーバへ送信し、クラウドサーバは、音声情報に対して解析処理を行って音声情報に対応する制御情報を確定し、制御情報が含まれている制御命令をファーフィールド音声制御デバイスへ送信し、制御情報に音声再生情報が含まれている場合に、ファーフィールド音声制御デバイスのファーフィールド再生装置は、音声再生情報を再生し、制御情報に非音声再生情報が含まれている場合に、ファーフィールド音声制御デバイスは、少なくとも一つのスマートデバイスから、非音声再生情報に対応する操作を実行するスマートデバイスを目標スマートデバイスとして確定し、目標スマートデバイスが非音声再生情報に対応する操作を実行するように、非音声再生情報を目標スマートデバイスへ送信する。
【発明の効果】
【００１６】
本願の実施形態により提出されたファーフィールド音声制御デバイス及びファーフィールド音声制御システムは、ファーフィールド音声制御デバイスのファーフィールド集音装置がユーザから送信された音声情報を受信して音声情報をファーフィールド音声制御デバイスの音声解析装置へ送信し、その後に、音声解析装置が音声情報を解析して、音声情報に所定のウェークアップワードが含まれているか否かを確定し、所定のウェークアップワードが含まれている場合に、音声情報をファーフィールド音声制御デバイスと通信可能に接続されたクラウドサーバへ送信する。つまり、遠距離のユーザは音声でファーフィールド集音機能をサポートするファーフィールド音声制御デバイス及びファーフィールド音声制御システムとインタラクションを行って、相応の制御機能を実現することができる。これにより、制御の便利性の向上に寄与する。
【図面の簡単な説明】
【００１７】
以下の図面による非限定的な実施例についての詳細な説明を読み、参照することにより、本願の他の特徴、目的及び利点がより明らかになる。
【図１】本願により提供されるファーフィールド音声制御デバイスの一つの実施例の構成の模式図である。
【図２】本願により提供されるファーフィールド音声制御デバイスの他の実施例の構成の模式図である。
【図３】本願により提供されるファーフィールド音声制御システムの一つの実施例の構成の模式図である。
【図４】本願により提供されるファーフィールド音声制御システムの他の実施例の構成の模式図である。
【図５】本願により提供されるファーフィールド音声制御システムの一つの応用シーンにおけるインタラクションのフローチャートである。
【図６】本願により提供されるファーフィールド音声制御システムの他の応用シーンにおけるインタラクションのフローチャートである。
【発明を実施するための形態】
【００１８】
以下、図面と実施例を参照しながら、本願を詳細に説明する。ここで記載される具体的な実施例は、関連の発明を解釈するのみに用いられ、当該発明に対する限定ではないことは理解される。なお、説明の便宜上、図面には、関連の発明に関わる部分のみを示す。
【００１９】
なお、矛盾が生じない限り、本願における実施例及び実施例における特徴は互いに組み合わせることができるものとする。以下、図面を参照しながら、実施例を併せて本願を詳しく説明する。
【００２０】
図１は、本願により提供されるファーフィールド音声制御デバイスの一つの実施例の構成の模式図を示す。本実施例におけるファーフィールド音声制御デバイスは、ファーフィールド集音装置１１と音声解析装置１２とを備えても良い。
【００２１】
本実施例において、ファーフィールド集音装置１１は、まずユーザから送信された音声情報を受信し、その後に音声情報を音声解析装置１２へ送信することができる。音声解析装置１２は、音声情報を解析して音声情報に所定のウェークアップワードが含まれているか否かを確定し、音声情報に所定のウェークアップワードが含まれたと確定された場合に、音声情報をファーフィールド音声制御デバイスと通信可能に接続されたクラウドサーバへ送信することができる。
【００２２】
本実施例において、ファーフィールド集音装置１１は、例えばマイクアレイ（Ｍｉｃｒｏｐｈｏｎｅ  Ａｒｒａｙ）のような、遠距離のユーザから送信された音声情報を受信可能な各種の装置であっても良い。なお、マイクアレイは、一定の数且つ一定の空間構成の音響学センサ（一般的に、マイクである）で構成され、サウンドフィールドの空間特徴にサンプリングして処理するためのシステムであっても良い。実際の応用において、線形、環形、球形マイクアレイは、原理的には大きい差がないが、空間構成が異なるため、形状の異なるマイクアレイが認識可能な空間の範囲が異なることになる。例えば、音源の位置決めについて、線形のアレイは一元の情報を持ち１８０度しか認識できなく、環形のアレイは平面のアレイであるため、二元の情報を持ち３６０度を認識でき、球形のアレイは立体的な三元の空間のアレイであるため、三元の情報を持ち３６０度の方位角と１８０度のピッチ角を認識できる。ここで、位置の異なるユーザがファーフィールド音声制御を実行可能にするために、一般的にファーフィールド集音装置１１として環形のマイクアレイ又は球形のマイクアレイを採用する。また、マイクアレイにおけるマイクの数が多いほど、ビームで区分できる空間が細かくなり、ノイズの多い環境において受信される音声情報の品質が高くなる。ところが、マイクアレイにおけるマイクの数が多いほど、コストも高くなる。従って、ファーフィールド音声制御の距離と合わせて適合なマイクの数を確定することができる。
【００２３】
本実施例の複数のオプションとなる実施形態において、後処理で音声情報に対する認識の正確度を向上するために、ユーザから送信された音声情報を受信した後に、ファーフィールド集音装置１１は、更に幾つかの処理アルゴリズム（例えば、ノイズ除去アルゴリズム、エコー、残響などを除去する音響学アルゴリズムなど）を採用して、音声情報に対してノイズ除去処理を行うことができる。例えば、ファーフィールド集音装置１１は、ビーム形成の方法に基づいて、マイクアレイにおける複数のマイクで受信された音声情報に対して重み付け加算を行って目標方向にピックアップビームを形成すると共に、他の方向からの反射音を減衰することにより、一連のクリーンな音声情報を取得することができる。
【００２４】
本実施例において、音声解析装置１２は、常用の音声解析方法（例えば、音声認識方法、語義解析方法）を採用して、ファーフィールド集音装置１１から受信された音声情報を解析することができる。例えば、音声解析装置１２は、まず音声認識技術（Ａｕｔｏｍａｔｉｃ  Ｓｐｅｅｃｈ  Ｒｅｃｏｇｎｉｔｉｏｎ、ＡＳＲ）を利用して音声情報に対して音声認識を行って、音声情報における語句内容を書面言語形式の語句内容へ変換し、そして単語分割技術（例えば完全分割手法）を利用して書面言語形式の語句内容を単語に分割し、最後に分割された単語に所定のウェークアップワード（例えば、「ＡＡ」、「どうも」など）が含まれているか否かを確定し、音声情報に所定のウェークアップワードが含まれたと確定された場合に、音声情報をファーフィールド音声制御デバイスと通信可能に接続されたクラウドサーバへ送信して、クラウドサーバに音声情報に対して解析処理を実行し、且つ相応の制御情報をフィードバックさせる。これにより、ファーフィールド音声制御デバイス及び／又はファーフィールド音声制御デバイスと通信可能に接続されたスマートデバイスに対するファーフィールド音声制御を実現することができる。音声情報に所定のウェークアップワードが含まれていないと確定された場合に、フローを終了する。つまり、ユーザは、ファーフィールド音声制御デバイス及び／又はファーフィールド音声制御デバイスと通信可能に接続されたスマートデバイスに対するファーフィールド音声制御を実現しようとする時に、所定のウェークアップワードと、ファーフィールド音声制御デバイス及び／又はファーフィールド音声制御デバイスと通信可能に接続されたスマートデバイスに対して制御を行う情報とを同時に言い出す必要がある。
【００２５】
本実施例において、ファーフィールド音声制御デバイスは、クラウドサーバと通信可能に接続されても良く、少なくとも一つのスマートデバイスと通信可能に接続されても良い。一般的に、ファーフィールド音声制御デバイスは、有線接続手段又は無線接続手段でネットワークに接続してクラウドサーバとの通信可能な接続を実現することができる。同様に、少なくとも一つのスマートデバイスがネットワークに接続されている場合に、ファーフィールド音声制御デバイスは、有線接続手段又は無線接続手段でネットワークに接続して少なくとも一つのスマートデバイスとの通信可能な接続を実現することもできる。また、少なくとも一つのスマートデバイスがネットワークに接続されていない場合に、ファーフィールド音声制御デバイスと少なくとも一つのスマートデバイスとの間にブルートゥース（登録商標）による接続又は赤外線による接続を構築することができる。従って、ファーフィールド音声制御デバイスは、更に、ネットワーキング装置として無線ローカルエリアネットワーキング装置、ブルートゥースネットワーキング装置、赤外線ネットワーキング装置のうちの少なくとも一つを含んでも良い。ファーフィールド音声制御デバイスは、少なくとも一つのネットワーキング装置によりクラウドサーバ及び少なくとも一つのスマートデバイスと通信可能な接続を構築することができる。
【００２６】
一つの例示として、ファーフィールド音声制御デバイスに有線ポート装置を設置することができる。有線ポート装置は、モジュラーケーブルに接続して有線ネットワーク接続を実現することができる。なお、有線ポート装置に有線インターフェース、例えばＲＪ４５（Ｒｅｇｉｓｔｅｒｅｄ  Ｊａｃｋ  ４５、コネクタ）におけるコンセントが含まれても良い。これにより、モジュラーケーブルのジョイントが当該コンセントに挿入されると、有線ネットワークの接続を実現することができる。理解すべきなのは、このような有線接続手段は、プラグアンドプレイが可能になり、複雑なネットワークの配置手順が必要なくなる。且つ、一般的にネットオフが発生することがなく、ネットワークの運行が安定である。
【００２７】
他の例示として、ファーフィールド音声制御デバイスには、無線ローカルエリアネットワーキング装置、例えばＷｉ−Ｆｉ（登録商標）（Ｗｉｒｅｌｅｓｓ−Ｆｉｄｅｌｉｔｙ、無線ローカルエリアネットワーク）チップが配置されても良い。無線ローカルエリアネットワーキング装置は、ファーフィールド音声制御デバイスを無線ローカルエリアネットワークに接続するようにトリガすることができる。また、無線ローカルエリアネットワーキング装置は、Ｗｉ−Ｆｉリレーとして使用することもできる。つまり、ファーフィールド音声制御デバイスが有線ポート装置により有線ネットワークに接続された時に、無線ローカルエリアネットワーキング装置は、少なくとも一つのスマートデバイスが接続して使用するように有線ネットワークを無線ネットワークへ変換することができる。少なくとも一つのスマートデバイスが当該無線ネットワークに接続されると、ファーフィールド音声制御デバイスと少なくとも一つのスマートデバイスとの通信可能な接続を実現することができる。
【００２８】
他の例示として、ファーフィールド音声制御デバイスには、ブルートゥースネットワーキング装置（例えばブルートゥースモジュール）が配置されても良い。ブルートゥースネットワーキング装置は、ファーフィールド音声制御デバイスを少なくとも一つのスマートデバイスと短距離の無線通信可能な接続を構築するようにトリガすることができる。つまり、ファーフィールド音声制御デバイスと少なくとも一つのスマートデバイスとの間にブルートゥースを使用して情報を伝送することができる。これにより、少なくとも一つのスマートデバイスがネットワークに接続されていない場合であっても、ファーフィールド音声制御デバイスは少なくとも一つのスマートデバイスとインタラクションを行うことができる。
【００２９】
他の例示として、ファーフィールド音声制御デバイスには、赤外線ネットワーキング装置（例えば赤外線モジュール）が配置されても良い。赤外線ネットワーキング装置には、赤外線送信機と赤外線受信機とが内装されても良い。なお、赤外線送信機は赤外線信号を送信し、赤外線受信機は赤外線信号を受信することができる。一般的に、少なくとも一つのスマートデバイスは赤外線の制御をサポートすることができる。ファーフィールド音声制御デバイスは、クラウドサーバからフィードバックされた制御情報に基づいて、赤外線送信機を利用して相応のスマートデバイスへ対応する赤外線信号を送信して、該当するスマートデバイスが相応の操作を実行するように制御することができる。例えば、赤外線信号によりエアコンのスイッチを制御し、エアコンの温度、風速、風向などの運転パラメータを調整する。
【００３０】
本実施例の複数のオプションとなる実施形態において、ファーフィールド音声制御デバイスは配線箱内、例えば家の壁におけるスイッチ又はコンセントに実装することができる。これにより、ファーフィールド音声制御デバイスの占用されるスペースを削減できると共に、室内の美しいデザインに寄与する。更にファーフィールド音声制御デバイスの適用範囲を拡大するために、ここでの配線箱は、例えば８６ボックスなどのような各種の通常標準の配線箱が含まれても良い。一般的に、配線箱のパネルは、タッチパネルであっても良い。など、タッチパネルには、タッチボタン及び／又はインジケータライトが設置されても良い。これにより、ユーザは、タッチパネル上のタッチボタンをタッチしてファーフィールド音声制御デバイスの制御機能、例えばファーフィールド音声制御デバイスのオープン、クローズなどを調整することもできる。インジケータライトは、ファーフィールド音声制御デバイスのオープン、クローズ、待機などの状態を指示することができる。
【００３１】
本願の実施例により提出されたファーフィールド音声制御デバイスは、ファーフィールド音声制御デバイスのファーフィールド集音装置によりユーザから送信された音声情報を受信して音声情報をファーフィールド音声制御デバイスの音声解析装置へ送信し、その後に、音声解析装置により音声情報を解析して音声情報に所定のウェークアップワードが含まれるか否かを確定し、所定のウェークアップワードが含まれている場合に、音声情報をファーフィールド音声制御デバイスと通信可能に接続されたクラウドサーバへ送信する。つまり、遠距離のユーザは音声でファーフィールド集音機能をサポートするファーフィールド音声制御デバイス及びファーフィールド音声制御システムとインタラクションを行って相応の制御機能を実現することができる。これにより、制御の便利性の向上に寄与する。
【００３２】
図２は、本願により提供されたファーフィールド音声制御デバイスの他の実施例の構成の模式図を示す。本実施例におけるファーフィールド音声制御デバイスは、ファーフィールド集音装置１１と、音声解析装置１２と、ファーフィールド再生装置１３とを備えることができる。
【００３３】
本実施例において、ファーフィールド集音装置１１は、まずユーザから送信された音声情報を受信し、そして音声情報を音声解析装置１２へ送信することができる。音声解析装置１２は、音声情報を解析して音声情報に所定のウェークアップワードが含まれているか否かを確定し、音声情報に所定のウェークアップワードが含まれたと確定された場合に、音声情報をファーフィールド音声制御デバイスと通信可能に接続されたクラウドサーバへ送信することができる。同時に、ファーフィールド音声制御デバイスは更にファーフィールド再生装置１３を備えても良い。ファーフィールド再生装置１３は、クラウドサーバから音声再生情報を受信し、クラウドサーバから受信された音声再生情報を再生することができる。
【００３４】
本実施例において、ファーフィールド再生装置１３は、方位の異なる複数のスピーカからなり、位置の異なるユーザに何れも音声再生情報を受信可能にすることができる。一般的に、ファーフィールド再生装置１３には、音声再生情報のパワーを増幅するためのパワーアンプが設置される。これにより、ファーフィールド音声制御デバイスから遠いユーザも音声再生情報を良く受信できるように、ファーフィールド再生装置１３により再生される音声再生情報の音量を増大することができる。
【００３５】
図２からわかるように、図１に対応する実施例と比べて、本実施例におけるファーフィールド音声制御デバイスには、ファーフィールド再生装置１３が追加される。これにより、本実施例に説明されたファーフィールド音声制御デバイスは、ファーフィールド集音機能だけではなく、ファーフィールド再生機能もサポートすることにより、ファーフィールド音声制御デバイスがファーフィールド音声対話機能をサポートすることになる。
【００３６】
本願の実施例は更にファーフィールド音声制御システムを提供する。当該ファーフィールド音声制御システムは、クラウドサーバと前記の各実施例に説明されたファーフィールド音声制御デバイスを備えても良い。なお、クラウドサーバは、ファーフィールド音声制御デバイスと通信可能に接続しても良い。例示として、ファーフィールド音声制御システムは、図３に示されたようになっても良い。図３は、本願により提供されたファーフィールド音声制御システムの一つの実施例の構成の模式図を示す。
【００３７】
図３に示されたように、ファーフィールド音声制御システムは、クラウドサーバ２とファーフィールド音声制御デバイス１とを備えても良い。クラウドサーバ２とファーフィールド音声制御デバイス１は通信可能に接続する。
【００３８】
本実施例において、クラウドサーバ２とファーフィールド音声制御デバイス１は、複数の手段で通信可能な接続を構築することができ、有線ネットワーク接続、無線ネットワーク接続を含むが、それらに限定されない。
【００３９】
本実施例において、クラウドサーバ２は、ファーフィールド音声制御デバイス１から送信された音声情報を受信することにより、音声情報に対して解析処理を行って音声情報に対応する制御情報を確定し、そして制御情報が含まれた制御命令をファーフィールド音声制御デバイス１へ送信してファーフィールド音声制御デバイス１に制御情報に対応する操作を実行させ、或いはファーフィールド音声制御デバイス１は制御情報が含まれた制御命令を相応のスマートデバイスへ送信して該当するスマートデバイスに制御情報に対応する操作を実行させることができる。例えば、クラウドサーバ２は、サンプル音声情報セットとサンプル音声情報ごとに対応するサンプル制御情報とを予め記憶することができる。具体的に、クラウドサーバ２は、まず通信可能に接続されたファーフィールド音声制御デバイス１から音声情報を取得し、そして音声情報をサンプル音声情報セットにおける各サンプル音声情報と逐一にマッチングし、サンプル音声情報セットに音声情報と同一又は類似する何れか一つのサンプル音声情報があれば、当該サンプル音声情報が音声情報とマッチしたとすることができる。この場合に、クラウドサーバ２は、音声情報に対応する制御情報として当該サンプル音声情報に対応するサンプル制御情報を検索してファーフィールド音声制御デバイス１にフィードバックして、ファーフィールド音声制御デバイス１に制御情報に対応する操作を実行させ、或いはファーフィールド音声制御デバイス１は制御情報が含まれた制御命令を相応のスマートデバイスへ送信して該当するスマートデバイスに制御情報に対応する操作を実行させることができる。
【００４０】
本実施例の複数のオプションとなる実施形態において、制御情報に音声再生情報が含まれている場合に、ファーフィールド音声制御デバイス１のファーフィールド再生装置は音声再生情報を再生する。このように、ファーフィールド再生装置により音声再生情報を再生することにより、音声再生情報が遠距離のユーザに良く受信可能である。例えば、制御情報が曲《ＸＸ》のオーディオ情報であれば、ファーフィールド音声制御デバイス１のファーフィールド再生装置は、曲《ＸＸ》のオーディオ情報を再生することができる。
【００４１】
本実施例の複数のオプションとなる実施形態において、ファーフィールド音声制御システムは、少なくとも一つのスマートデバイスを更に備えても良い。ファーフィールド音声制御デバイス１は少なくとも一つのスマートデバイスと通信可能に接続することができる。一般的に、少なくとも一つのスマートデバイスがネットワークに接続されている場合に、ファーフィールド音声制御デバイスは有線接続手段又は無線接続手段でネットワークに接続して少なくとも一つのスマートデバイスとの通信可能な接続を実現させることもできる。また、少なくとも一つのスマートデバイスがネットワークに接続されていない場合に、ファーフィールド音声制御デバイスと少なくとも一つのスマートデバイスとの間にブルートゥース接続又は赤外線接続を構築することができる。制御情報に非音声再生情報が含まれている場合に、ファーフィールド音声制御デバイス１は、まず少なくとも一つのスマートデバイスから目標スマートデバイスとして非音声再生情報に対応する操作を実行するスマートデバイスを確定し、そして非音声再生情報を目標スマートデバイスへ送信して目標スマートデバイスに非音声再生情報に対応する操作を実行させることができる。例えば、制御情報が「エアコンをオープンしてください」であれば、ファーフィールド音声制御デバイス１は少なくとも一つのスマートデバイスからエアコンを確定し、エアコンの運転を制御するようにエアコンへ制御命令を送信する。
【００４２】
本願の実施例により提出されたファーフィールド音声制御システムは、ファーフィールド音声制御デバイスのファーフィールド集音装置によりユーザから送信された音声情報を受信して音声情報をファーフィールド音声制御デバイスの音声解析装置へ送信し、その後に音声解析装置により音声情報を解析して、音声情報に所定のウェークアップワードが含まれているか否かを確定し、所定のウェークアップワードが含まれている場合に、音声情報をファーフィールド音声制御デバイスと通信可能に接続されたクラウドサーバへ送信する。つまり、遠距離のユーザは音声でファーフィールド集音機能をサポートするファーフィールド音声制御システムとインタラクションを行って相応の制御機能を実現することができる。これにより、制御の便利性の向上に寄与する。
【００４３】
続いて図４を参照する。図４は、本願により提供されたファーフィールド音声制御システムの他の実施例の構成の模式図を示す。本実施例におけるファーフィールド音声制御システムは、ファーフィールド音声制御デバイス１と、クラウドサーバ２と、少なくとも一つのスマートデバイス３と（図４に電球３１とエアコン３２が示された）を備えても良い。
【００４４】
本実施例において、ファーフィールド音声制御デバイス１は、まずユーザから送信された音声情報を受信し、そして音声情報を解析して音声情報に所定のウェークアップワードが含まれるか否かを確定し、所定のウェークアップワードが含まれている場合に、音声情報をクラウドサーバ２へ送信することができる。クラウドサーバ２は、音声情報に対して解析処理を行って音声情報に対応する制御情報を確定し、制御情報が含まれている制御命令をファーフィールド音声制御デバイス１へ送信することができる。制御情報に音声再生情報が含まれている場合に、ファーフィールド音声制御デバイス１のファーフィールド再生装置は音声再生情報を再生する。制御情報に非音声再生情報が含まれている場合に、ファーフィールド音声制御デバイス１は少なくとも一つのスマートデバイス３から目標スマートデバイスとして非音声再生情報に対応する操作を実行するスマートデバイス（例えばエアコン３１）を確定し、非音声再生情報を目標スマートデバイスへ送信する。目標スマートデバイスは、非音声再生情報に対応する操作を実行する。
【００４５】
本願の実施例は、更にファーフィールド音声制御システムの一つの応用シーンを提供した。図５は、本願により提供されたファーフィールド音声制御システムの一つの応用シーンにおけるインタラクションの手順５００を示した。まず、５０１に示されたように、ユーザはファーフィールド音声制御システムにおけるファーフィールド音声制御デバイス１に対して音声情報として「ＡＡ、エアコンをオープンしてください」を言い出すことができる。この場合に、５０２に示されたように、ファーフィールド制御デバイス１のファーフィールド集音装置は、音声情報をファーフィールド音声制御デバイス１の音声解析装置に送信することができる。その後に、５０３に示されたように、音声解析装置は音声情報を解析して音声情報に所定のウェークアップワード「ＡＡ」が含まれたと確定する。この場合に、５０４に示されたように、ファーフィールド制御デバイス１は音声情報をクラウドサーバ２へ送信することができる。その後に、５０５に示されたように、クラウドサーバ２は音声情報に対して解析処理を行い、エアコンをオープンする命令をファーフィールド音声制御デバイス１にフィードバックすることができる。そして、５０６に示されたように、ファーフィールド音声制御デバイス１は、エアコンをオープンする命令をエアコンへ送信する。最後に、５０７に示されたように、エアコンが運転する。
【００４６】
本願の実施例は、更にファーフィールド音声制御システムの他の応用シーンを提供する。図６は、本願により提供されたファーフィールド音声制御システムの他の応用シーンにおけるインタラクションの手順６００を示す。まず、６０１に示されたように、ユーザはファーフィールド音声制御システムにおけるファーフィールド音声制御デバイス１に対して音声情報として「ＡＡ、曲名が《ＸＸ》の曲を再生してください」を言い出すことができる。この場合に、６０２に示されたように、ファーフィールド制御デバイス１のファーフィールド集音装置は、音声情報をファーフィールド音声制御デバイス１の音声解析装置へ送信することができる。その後に６０３に示されたように、音声解析装置は音声情報を解析して音声情報に所定のウェークアップワード「ＡＡ」が含まれたと確定する。その後に６０４に示されたように、ファーフィールド制御デバイス１は、音声情報をクラウドサーバ２へ送信することができる。そして、６０５に示されたように、クラウドサーバ２は音声情報に対して解析処理を行い、曲《ＸＸ》のオーディオ情報をファーフィールド音声制御デバイス１にフィードバックすることができる。最後に、５０６に示されたように、ファーフィールド音声制御デバイス１は曲《ＸＸ》のオーディオ情報を再生する。
【００４７】
本願の実施例により提出されたファーフィールド音声制御システムは、ファーフィールド音声制御デバイスのファーフィールド集音装置によりユーザから送信された音声情報を受信して音声情報をファーフィールド音声制御デバイスの音声解析装置へ送信し、その後に、音声解析装置により音声情報を解析して音声情報に所定のウェークアップワードが含まれているか否かを確定し、所定のウェークアップワードが含まれている場合に、音声情報をファーフィールド音声制御デバイスと通信可能に接続されたクラウドサーバへ送信し、クラウドサーバにより音声情報に対して解析処理を行って、音声情報に対応する制御情報を確定して、相応のデバイスを制御情報に対応する操作を実行するように制御する。つまり、遠距離のユーザは音声でファーフィールド対話機能をサポートするファーフィールド音声制御システムとインタラクションを行って、相応の制御機能を実現させることができる。これにより、制御の便利性の向上に寄与する。
【００４８】
以上の記載は、本願の好ましい実施例、及び使われている技術的原理の説明に過ぎない。当業者は、本願に係る保護範囲が、上記の技術特徴による特定お組合せからなる技術方案に限定されるものではなく、本発明の趣旨を逸脱しない範囲で、上記技術特徴又は均等の特徴の任意の組合せからなる他の技術方案も含まれることを理解している。例えば、上記特徴と、本願に開示された類似の機能を持っている技術特徴（これらに限定されていない）とを互いに置き換えてなる技術方案も含まれる。
【図１】
2019159306.tif 000003
【図２】
2019159306.tif 000004
【図３】
2019159306.tif 000005
【図４】
2019159306.tif 000006
【図５】
2019159306.tif 000007
【図６】
2019159306.tif 000008
【外国語明細書】
2019159306000001.pdf
2019159306000002.pdf
2019159306000003.pdf
2019159306000004.pdf